(57)【特許請求の範囲】
【請求項１】
外型枠と内型枠との間にコンクリートを打設して形成される壁部の水平打継部に埋設する打継埋め込み部材であって、
上面板と底面板を有し、
前記上面板と前記底面板は前記外型枠側において前記外枠に固定された目地棒に係合するための基部を形成し、
前記基部と相対する先端部は、前記上面板と前記底面板とを隔てるとともにスリット支持板と水返しを有して、前記スリット支持板上に水平スリットを載置するとともに前記水返しで前記水平スリットを水平打継部に位置づけることができ、
前記上面板と前記底面板が前記先端部側においてそれぞれ前記先端部に向けて上昇する斜面部を有している
ことを特徴とする打継埋め込み部材。
【請求項２】
前記上面板と前記底面板との間隔が前記基部から前記先端部にかけて略一定であることを特徴とする請求項１に記載の打継埋め込み部材。
【請求項３】
前記目地棒に前記基部を係合したとき、
前記スリット支持板の上面の高さが前記目地棒の上面の高さに位置づけられ、
前記上面板の上面の高さが前記目地棒の上面の高さよりも高くなることを特徴とする請求項１または２に記載の打継埋め込み部材。
【請求項４】
請求項１または３に記載の打継埋め込み部材において、前記基部側にさらに結合部を有して、前記先端部を有する本体部を前記基部側に結合することができることを特徴とする打継埋め込み部材。
【請求項５】
外型枠に固定された目地棒に打継埋め込み部材を係合し、内型枠と前記打継埋め込み部材との間に水平スリットを位置づけて、コンクリートを打設して形成される壁部の水平打継部の構造において、前記打継埋め込み部材が請求項１ないし４に記載のいずれかの打継埋め込み部材であることを特徴とする水平打継部の構造。
【発明の詳細な説明】
【技術分野】
【０００１】
本発明は、コンクリート建築物の水平打継部に水平耐震スリットを埋設するための打継埋め込み部材、および水平打継部の構造に関するものである。
【背景技術】
【０００２】
一般にコンクリート建築物は、建物自体の強度を柱および梁等で確保するようになっており、壁部は、鉄骨（柱および梁等）の配置を考慮して分割された複数の領域ごとにコンクリートを打設して形成され、さらに各壁部間の境界部分には、水平および垂直方向の水平打継部が形成されるようになっている。かかるコンクリート建築物は、柱および梁によって地震等による力に耐えることができるが、力の一部が水平打継部に剪断力等として作用するため、水平打継部に耐震スリットを埋設することで剪断力等を吸収・緩和して、壁部に亀裂等が生じないようにしている。すなわちコンクリート建築物は、建物自体の強度を柱および梁等で確保するとともに、壁部の歪等で水平打継部に加わる剪断力等を耐震スリットで吸収・緩和するのである。
【０００３】
ところで水平打継部は、外型枠の内側に固定された打継目地棒（本明細書においては、「打継目地棒」を「目地棒」と表示することがある）に打継埋め込み部材を取り付けたのち、型枠（外型枠および内型枠）内にコンクリートを打設して下層階壁部を形成し、さらに水平耐震スリット（本明細書においては、「水平耐震スリット」を「水平スリット」と表示することがある）を、下層階壁部の上面で且つ内型枠に接するように位置づけ、しかるのち下層階壁部の上方に上層階壁部を形成するコンクリートを打設して形成される。
【０００４】
こうして形成された水平打継部は、壁部外面からの雨水等（浸水）の浸透を防ぐとともに、浸透した浸水を壁部外面へと排水できることが望まれる。そこで、図７（ａ）に示すように、水平打継部の下層階壁部ＤＷの上面に壁部外面Ｆに向け下降する斜面Ｓ１（壁部に浸透した浸水を壁部外面Ｆへと排水する斜面）を形成する打継埋め込み部材（目地材）１ａが考案された。かかる打継埋め込み部材１ａを用いることで、浸水を壁部外面へと排水することに優れた水平打継部を施工性よく形成できるというのである（例えば特許文献１）。
【０００５】
しかし水平打継部に斜面を設けただけでは、豪雨のときなど、水平打継部へ浸透した雨水が斜面部分よりもさらに室内側へと浸透し、その結果水平スリットへ達することが考えられる。そこで図７（ｂ）に示すように、水返しＷｓを設けた打継埋め込み部材１ｂを用いて、雨水が水平スリットＳｈへと浸透することを防ぐことが考えられる。かかる水返しＷｓは、内型枠との間に水平スリットＳｈを軽く挟持する等して、水平スリットＳｈの位置決め作業を容易にすることができる。
【０００６】
あるいは、傾斜側面を有する水平スリットが提案されている。かかる水平スリットでは、その傾斜側面を外型枠側に向け下降するように位置づけることで、外型枠と水平スリットとの間へ打設されたコンクリートが傾斜側面によって外型枠側へと流れるように打設されてコンクリートの充填性が高まるから、コンクリートの打設施工性が向上するとともにクラックが生じにくく、且つ止水性に優れた水平打継部を形成することができると云うのである（例えば特許文献２）。
【特許文献１】特許第３１９３９０８号公報
【特許文献２】特開２００１−３４９２号公報
【発明の開示】
【発明が解決しようとする課題】
【０００７】
しかし、水返しＷｓを有する打継埋め込み部材１ｂを使用すると、水返しＷｓとコンクリート打設時に用いる外型枠との間には、図７（ｂ）にＳで示すような断面矩形状のスペース（例えば５０〜７０ｍｍ前後で、壁部の厚さ（例えば２００ｍｍ前後）に比べて狭い）が生じる（上記断面矩形状のスペースは、図７（ｂ）では、水返しＷｓと上層階壁部ＤＵ側の壁部外面Ｆとの間のスペース（領域）Ｓとして示される）。かかるスペースＳにおけるコンクリート充填性を高めるためには（すなわちクラック等が生じ難い壁部を形成するためには）、慎重なコンクリート打設作業が必要となって、施工性が低下するという問題がある。
【０００８】
一方、傾斜側面を有する水平スリットは、コンクリートの充填性を高めて、止水性に優れた水平打継部を形成して雨水の浸透を防ぐことができる反面、一度、浸水が水平打継部へ浸透してしまうと、浸水はさらに水平スリットへと浸透してしまうし、壁部外面に向けて浸水を排水することは容易ではないことがうかがえる。また傾斜側面を有する水平スリットは、図７（ｂ）に示す従来の水平スリットのように、水平打継部に位置づける際に水返しで位置決めできないため、位置決め作業がそれだけ難しくなり（施工性が低下し）、加えて台形の断面形状を有するから、長方形の断面形状の従来の水平スリットに比べ、製造工程が複雑になってコストアップを招来するおそれがある。
【０００９】
また打継埋め込み部材１ａおよび１ｂは、水平打継部近傍に位置する梁等を避けるため、図７（ａ）および（ｂ）に示すように先端部側（室内側に位置づけられる側）が先細りに形成されて（打継埋め込み部材１ａおよび１ｂの断面形状は略３角形状を有して、先端部側（室内側）ほどその厚さが薄くなって）、基部側（目地棒側）に比べ先端部側の強度が低下するので、先端部側の強度向上が望まれる（好ましくは、基部から先端部にわたって均一に高い強度を実現することが望まれる）。
【００１０】
そこで本発明は、浸水の浸透を防ぐとともに浸透した浸水の排水性に優れ、強度および施工性が向上し、またコストダウンが可能な打継埋め込み部材および水平打継部の構造を実現することを目的としたのである。
【課題を解決するための手段】
【００１１】
上記課題を達成するため、本発明に係る打継埋め込み部材は、上面板と底面板を有し、上面板と底面板は外型枠側において目地棒に係合するための基部を形成しており、基部と相対する先端部において上面板と底面板とを隔てて（打継埋め込み部材の先端部を厚くして）、先端部側の強度を向上させた。
また該打継埋め込み部材は、先端部がスリット支持板と水返しを有して、スリット支持板上に水平スリットを載置し、水平打継部に水平スリットを位置づけることを可能として、水平スリットの位置決めを容易にし（施工性を向上し）、また水返しによって、壁部外面側からの浸水を阻止して水平スリットへの浸水を防ぐことができる。
【００１２】
また該打継埋め込み部材は、上面板と底面板が先端部側においてそれぞれ先端部に向けて上昇する斜面部を有して、上面板においては外型枠と水平スリットの間に打設されたコンクリートを充分充填することができるから、止水性に優れ且つクラック等の発生を防ぐことができる水平打継部を形成することができ、また底面板側においては水平打継部に埋設された梁等との間隔を確保することができる。ここで上記斜面部は、先端部の水返しで阻止された浸水を水平打継部外面へ向け流下・排水する。
【００１３】
また該打継埋め込み部材は、断面台形状よりも低コストで製造できる断面長方形状の水平スリットを使用して水平打継部の施工コストを低減する。また上面板と底面板との間隔を基部から先端部にかけて略一定にして、基部から先端部にわたって、均一で高い強度を確保し、また優れた強度を有する水平打継部の構造を実現する。
また目地棒に該打継埋め込み部材の基部を係合したときに、該打継埋め込み部材の上面板の高さを目地棒の上面の高さよりも高くして、該打継埋め込み部材の基部から先端部へかけての強度をさらに高めるとともに高い強度を有する水平打継部の構造を実現する。
【００１４】
さらに基部側に結合部を有して、先端部を有する本体部を基部側に結合することができる打継埋め込み部材、および該打継埋め込み部材を用いた水平打継部の構造は、基部側だけを目地棒に固定したのち先端部側の部分を基部側に係合することで、目地棒への打継埋め込み部材の係合を容易にするから（施工性を向上させるから）、水平打継部の施工コストを低廉化することができる。
【発明の効果】
【００１５】
すなわち本発明によれば、浸水の浸水防止と排水にすぐれ、外型枠と水平スリットの間に形成されるスペースに施工性よくコンクリートを充分打設できて水平打継部の強度を向上させることができ、また打継埋め込み部材の基部から先端部にかけて強度を向上させることができ、加えて水平スリットの位置決めも容易な打継埋め込み部材と水平打継部の構造を低コストで実現することができる。
【発明を実施するための最良の形態】
【００１６】
以下、図面を参照し本発明にかかる打継埋め込み部材および水平打継部の構造を説明する。
【実施例１】
【００１７】
図１ないし図５は、本発明に係る打継埋め込み部材および水平打継部の構造の一実施例（実施例１）を示すものである。図１に示すように、打継埋め込み部材１Ａは、目地棒４０に係合し固定される基部１０と基部１０に係合される本体部２０を有し、基部１０側の結合部３０において基部１０と本体部２０を分離・結合できるようになっており、例えば塩化ビニール等の合成樹脂によって形成される。打継埋め込み部材１Ａでは、基部１０の上面板１１と本体部２０の上面板２１とで上面板１Ｕが構成され、基部１０の底面板１２と本体部２０の底面板２２とで底面板２Ｄが構成されるようになっている。
【００１８】
本体部２０は、基部１０と相対する位置に先端部２３を有しており、先端部２３はリブ２４とスリット支持板２５を有している。上面板１Ｕと底面板２Ｄの間隔は、基部１０から先端部２３にわたって、図１中の高さ方向で略一定になっている（打継埋め込み部材１Ａは、基部１０から先端部２３にわたって略一定の厚さを有している。ここで略一定とは、基部１０から先端部２３にわたって、均一で高い強度を実現するに充分な程度という意味であって、厳密に一定である必要はない）。
【００１９】
リブ２４は、打継埋め込み部材１Ａを目地棒４０に係合したとき、外型枠４１と平行するように位置づけられている。スリット支持板２５は、リブ２４から図１中右水平方向に例えば１０ｍｍ程度延出しており、打継埋め込み部材１Ａが目地棒４０に係合したとき、スリット支持板２５の上面２５ａが目地棒４０の上面４０ａと同じ高さに位置づけられるようになっている。リブ２４のスリット支持板２５より上部は水返し２４ｕを形成し、水返し２４ｕの高さは、例えば２５ｍｍに設定され、水返し２４ｕの頂部２４ｔは、基部１０側に向けて数ｍｍ折り曲げられている。またリブ２４の下端部からは、アンカー２６が図１中右斜め下方に延出している。かかる打継埋め込み部材１Ａは、幅（基部１０の外型枠４１側端と先端部２３との間隔）が例えば５０ｍｍ強で、厚さが例えば２５ｍｍ強であり、長さ（目地棒４０に沿う長さ、すなわち定尺）が例えば２ｍである。
【００２０】
本体部２０の上面板２１は、打継埋め込み部材１Ａを目地棒４０に係合したときに、結合部３０から先端部２３に向け外型枠４１と略直交する平面に位置づけられる平面部２１ａと、先端部２３に向けて上昇する斜面部２１ｂを有している（斜面部２１ｂは、水返し２４ｕから基部１０方向約２０ｍｍの領域において約４０度の傾斜を形成している）。底面板２２も上面板２１と同様な平面部２２ａと斜面部２２ｂを形成している。平面部２１ａの上面２１ｃは、目地棒４０の上面４０ａおよびスリット支持板２５の上面２５ａよりも、図１中上方に位置づけられるようになっている。
【００２１】
次に基部１０の概略構成を説明する。
図２に示すように基部１０では、上面板端部１１ｔ近傍と底面板端部１２ｔ近傍の間がリブ１３で接続されて、目地棒４０に係合するための係合溝１４が形成されている。また上面板１１と底面板１２との間には、リブ１３から立設し上面板１１の近傍を上面板１１と平行する第１の仕切り板１５と、リブ１３から立設し底面板１２の近傍を底面板１２と平行する第２の仕切り板１６が設けられている。上面板１１の結合部３０側は、折り曲げられて第１の仕切り板１５の端部に連なる基部上側結合面１１ｆを形成し、底面板１２の結合部３０側も、折り曲げられて第２の仕切り板１６の端部に連なる基部底側結合面１２ｆを形成している。第２の仕切り板１６の上面における打継埋め込み部材１Ａの長さ方向には、内周面側に釘孔１７ｈを形成する断面略半円形状の壁１７が間隔を有して複数設けられている。
【００２２】
次に結合部３０近傍における本体部２０および基部１０の概略構成を説明する。
図２に示すように、本体部２０側では、基部上側結合面１１ｆに相対する位置には、上面板２１が底面板２２側に折り曲げられて本体上側結合面２１ｆが形成されている。同様に基部底側結合面１２ｆに相対する位置には、底面板２２が上面板２１側に折り曲げられて本体底側結合面２２ｆが形成されている。本体上側結合面２１ｆと本体底側結合面２２ｆの間は、リブ２４側にその底面部が位置づけられる略扁平Ｕ字状の断面形状を有するリブ２７で連結されている。
【００２３】
本体上側結合面２１ｆおよび本体底側結合面２２ｆの表面には、略矢じり状の先端部を有する係止部２８が立設している。係止部２８は、打継埋め込み部材１Ａの長さ方向に間隔を有して複数設けられている。一方、基部上側結合面１１ｆおよび基部底側結合面１２ｆの表面には、係止部２８に相対する位置に係止孔１８が設けられている。本体部２０の係止部２８を基部１０の係止孔１８に挿入すると、係止部２８の先端部が係止孔１８を貫通して、係止部２８が係止孔１８から容易に抜けなくなる。すなわち、本体部２０および基部１０を打継埋め込み部材１Ａとして一体化することができる。
【００２４】
次に目地棒４０への打継埋め込み部材１Ａの係合について説明する。
図２に示すように目地棒４０は、断面台形状をなし、例えば、打継埋め込み部材１Ａに係合する側が２０ｍｍ、外型枠４１に固定される側が２５ｍｍ、図１中水平方向（厚さ）が２０ｍｍである。かかる目地棒４０は、上面４０ａが外型枠４１と直交するように外型枠４１に取り付けられて、図２中下側になる底面４０ｂが外型枠４１に向け下降する斜面を形成する。基部１０の係合溝１４を図２に示すように目地棒４０に係止したのち、釘孔１７ｈに無頭釘を打ち込んで基部１０を目地棒４０に固定する。しかるのち本体部２０を基部１０に係合することで、打継埋め込み部材１Ａを目地棒４０に係止することができる。
【００２５】
かくして打継埋め込み部材１Ａは、優れた施工性を実現することができるのである。かかる打継埋め込み部材１Ａは、上面板１Ｕと底面板２Ｄが基部１０から先端部２３にかけて略同一間隔を有しているから、先端部側が先細りに形成された打継埋め込み部材（例えば略三角形の断面形状を有する等して、上面板１Ｕと底面板２Ｄが先端部において連結されている打継埋め込み部材）に比し先端部２３側の強度が向上し、また、基部１０の上面板１１の上面１１ｃおよび本体部２０の平面部２１ａの上面２１ｃ（すなわち上面板１Ｕの上面１ｆ）が目地棒４０の上面４０ａよりも上方に位置づけられて打継埋め込み部材１Ａの厚みが増しているから、打継埋め込み部材１Ａ全体の強度も均一に向上するのである。
【００２６】
次に打継埋め込み部材１Ａ等の埋め込み工程等を、図３に基づき説明する。
打継埋め込み部材１Ａ等の埋め込みにおいては、まず外型枠４１を設置したのち、外型枠内面４１ａに目地棒４０を釘などで固定する。このとき目地棒４０は、その上面４０ａがコンクリートを打設して形成される下層階壁部５０の上面の高さと一致するように位置づけられる。つぎに打継埋め込み部材１Ａの基部１０を目地棒４０に係合したのち、基部１０に本体部２０を係合する（図３（ａ））。なお図３における打継埋め込み部材１Ａは、細部の形状が省略され且つ一体的に記載されている。
【００２７】
つぎに、打継埋め込み部材１Ａのスリット支持板２５の上面２５ａとコンクリートの上面が一致するように、下層階壁部５０にコンクリートを打設する（図３（ｂ））。そうすると下層階壁部５０の上部には、打継埋め込み部材１Ａの先端部２３から室内側にかけて上面５０ａが形成される。また下層階壁部５０は、図３（ｂ）および（ｃ）中において、その右側が床（図示せず）のコンクリート部分等と接することになる（下層階壁部５０の上面５０ａが床表面と同一レベルになる）。また打継埋め込み部材１Ａは、アンカー２６によって下層階壁部５０に強固に固定される。なお図３（ｂ）中の５１は下層階壁部５０および上層階壁部５２に埋め込まれる鉄筋である。
【００２８】
下層階壁部５０のコンクリートが硬化した後、内型枠４３を所定の位置に位置づけ、下層階壁部５０の上面５０ａの上に水平スリット４２を位置づける（図３（ｃ））。ここで水平スリット４２は、例えば幅方向中央部に伸縮自在の耐火部材４２ａを有して、打継埋め込み部材１Ａの水返し２４ｕと内型枠内面４３ａとの間隔Ｗ１に適合するものであり、間隔Ｗ１よりも若干広い幅を有している。したがって水平スリット４２は、その一の側面が打継埋め込み部材１Ａの水返し２４ｕと接し、底面が下層階壁部５０の上面５０ａに接し、他の側面が内型枠内面４３ａと接して、内型枠内面４３ａと水返し２４ｕとの間に位置づけられる。このとき水返し２４ｕと外型枠内面４１ａとの間にスペースＳが形成される。
【００２９】
ここで水平スリット４２の厚さと水返し２４ｕの高さは、一致ないし両者の高さの差が少ないことが好ましい。何故ならば、コンクリートをスペースＳに打設するとき、スペースＳの深さが浅い方がコンクリートをむら無く打設しやすいところ、水返し２４ｕの方が高いとスペースＳの深さが不必要に増すことになるからである。一方、水返し２４ｕの方が低いときには、スペースＳの深さが水平スリット４２の厚さで決まり、水平スリット４２の一の側面では水返し２４ｕで覆われない部分が生じて、該部分から水平スリット４２への浸水が生じ得るからである。なお水平スリット４２は、その幅が上層階壁部５２の種々の厚さに適合できるよう例えば８０〜５００ｍｍの範囲で製作され、１５〜３５ｍｍの厚さを有している。
【００３０】
こうして水平スリット４２を位置づけたのち、下層階壁部５０の上方に上層階壁部５２を形成するためのコンクリートを打設する。そうするとコンクリートは、斜面部２１ｂを流れるようにして外型枠内面４１ａに向け流れ込み、図４に示すように、スペースＳに空隙などを形成することなく打設されることになる。したがって斜面部２１ｂは、水返し２４ｕの高さに応じて図４中の高さ（斜面部２１ｂが水返し２４ｕに連結する部分の高さ）Ｈを増し、かつその幅Ｗ２を増すことが望ましい。かくして上層階壁部５２におけるスペースＳ近傍は、強固に形成されて止水性に優れ且つクラック等が生じにくくなるのであり、また打継埋め込み部材１Ａは、優れた施工性を実現できるのである。また底面板２Ｄ側においては、斜面部２２ｂによって、水平打継部５３に埋設された梁等（図示せず）との間隔が確保される。なお図４中４４は、基部１０を目地棒４０に取り付けるための無頭釘である。
【００３１】
かくして下層階壁部５０と上層階壁部５２の間に水平スリット４２が位置づけられ、上層階壁部５２のコンクリートが硬化した後、外型枠４１、目地棒４０および内型枠４３を取り外す（図５）。このとき目地棒４０に基部１０を固定した無頭釘は、目地棒４０とともに基部１０から抜かれることになる。その後、図５に示すように、目地棒４０があった部分にコーキング材を充填する（コーキング部４５を形成する）。こうして下層階壁部５０と上層階壁部５２の間に形成された水平打継部５３では、水平スリット４２が剪断力等を緩和する（剪断力等に対する緩衝材として作用する）。
【００３２】
ところで豪雨などの場合には、止水性に優れた壁部であっても浸水を完全に阻止することが難しい。したがって豪雨時などには、上層階壁部外面５２ａ（図５）から水平打継部５３に浸水した浸水が打継埋め込み部材１Ａの上面板１Ｕ上を室内側に向けて浸透することが否めず、また上層階壁部外面５２ａから上層階壁部５２に浸水した浸水が水平打継部５３へと浸透流下することが否めない。これら浸水は、合流して打継埋め込み部材１Ａの上面板１Ｕ上を水平スリット４２側（室内側）へと浸透しようとするが、打継埋め込み部材１Ａの水返し２４ｕで阻止される。ここで水返し２４ｕの頂部２４ｔが基部１０側に向け折り曲げられていれば、水平スリット４２への浸透をより確実に阻止することができる。
【００３３】
すなわち打継埋め込み部材１Ａの上面板１Ｕ上に至った浸水は、水平スリット４２側において、斜面部２１ｂおよび水返し２４ｕで阻止されて、水平打継部５３近傍の上層階壁部外面５２ａから、またコーキング部４５と上層階壁部５２との境界近傍から排水され、あるいは大気中に蒸発する。すなわち水返し２４ｕと斜面部２１ｂを有する打継埋め込み部材１Ａは、水平スリット４２側への浸水を阻止することに優れるだけでなく、斜面部２１ｂによってより効果的に阻止するとともに、浸水を水平打継部５３の外面に向けより効果的に排水することができる。もちろん打継埋め込み部材１Ａを用いた水平打継部５３の構造は、止水性と浸水の排水性に優れ、強度、施工性および経済性がすぐれたものとなる。
【００３４】
なお上面板１Ｕと底面板２Ｄが先端部２３において、隔てられており且つ斜面部２１ｂおよび２２ｂを有していれば、上面板１Ｕと底面板２Ｄとの間隔が基部から先端部にかけて略一定でなくてもよい。こうした構成を有する打継埋め込み部材１Ａも、先端部２３側の強度を向上させることができ、かつ水平スリット４２側への浸水を、より効果的に阻止するとともに、浸水を水平打継部５３の外面に向けより効果的に排水することができるからである。また上面板２１の平面部２１ａと、底面板２２の平面部２２ａとが、打継埋め込み部材１Ａの幅方向に同一寸法である必要もない。上面板１Ｕと底面板２Ｄとが基部から先端部にかけて間隔を有していれば、基部から先端部にかけて強度を高めることができるからである。
【実施例２】
【００３５】
図６に、本発明に係る打継埋め込み部材の他の実施例（実施例２）を示す。なお実施例１と同様の機能を有する構成要素には、同一の符合を付してその説明を省略する。
図６に示すように、打継埋め込み部材１Ｂは、打継埋め込み部材１Ａの基部１０と本体部２０に相当する部分が一体化されて、すなわち上面板１Ｕおよび底面板２Ｄが基部１０から先端部２３にわたって一体的に形成されて、打継埋め込み部材１Ａの結合部３０に相当する部分を有していない。上面板１Ｕは斜面部２１ｂを有し、また底面板２Ｄも同様な斜面部２２ｂを有している。
【００３６】
打継埋め込み部材１Ｂでは、リブ２４において釘孔１７ｈに相対する位置には、無頭釘を打ち込むための孔２４ｈが設けられており、打継埋め込み部材１Ｂを目地棒４０に係止したのち、孔２４ｈから無頭釘を釘孔１７ｈに打ち込んで、打継埋め込み部材１Ｂを目地棒４０に固定することができる。打継埋め込み部材１Ｂでは、上面板１Ｕの上面（上面板１Ｕの斜面部２２ｂを除いた部分）が目地棒４０の上面４０ａおよびスリット支持板２５の上面２５ａよりも上方（高いレベル）に位置づけられて、打継埋め込み部材１Ａと同様に、その厚みが増しているから、打継埋め込み部材１Ｂ全体の強度も均一に向上する。打継埋め込み部材１Ｂ等の水平打継部への埋め込みは、打継埋め込み部材１Ａと同等に（例えば図３）行うことができる。こうして形成される水平打継部の構造においても、浸水の阻止および排水は、打継埋め込み部材１Ａによる水平打継部５３の構造と同様に行われる。
【００３７】
打継埋め込み部材１Ｂにおいて、上面板１Ｕの上面１ｆを目地棒４０の上面４０ａおよびスリット支持板２５の上面２５ａと同じレベルに位置づけてもよい（例えばリブ１３の第１の仕切り板１５が立設している位置（図６）の近傍に上面板１Ｕを位置づけてもよい）。この場合にも上面板１Ｕと底面板２Ｄとが基部１０から先端部２３にわたって略一定の間隔に位置づけられるから、基部１０から先端部２３にわたって均一な強度を実現することができる。
【００３８】
なお本発明は、各実施例に限定されるものではなく、その趣旨を逸脱しない範囲で適宜変形して実施することができる。
【図面の簡単な説明】
【００３９】
【図１】本発明に係る打継埋め込み部材の一実施例（実施例１）における断面概略構成を示す図である。
【図２】図1に示す打継埋め込み部材の基部および本体部の断面概略構成、並びに打継埋め込み部材の目地棒への係止を説明するための図である。
【図３】図1に示す打継埋め込み部材を水平打継部へ埋め込む工程等を説明し、水平打継部およびその近傍の下層階壁部等の断面概略構成を示すための図である。
【図４】図1に示す打継埋め込み部材の埋め込みを説明し、該打継埋め込み部材を埋め込んだ水平打継部の断面概略構成を示すための図である。
【図５】打継埋め込み部材を用いた水平打継部の断面概略構成を示す図である。
【図６】本発明に係る打継埋め込み部材の他の実施例（実施例２）における断面概略構成を示す図である。
【図７】従来の打継埋め込み部材とそれを用いた水平打継部の断面概略構成を示す図である。
【符号の説明】
【００４０】
１Ａ、１Ｂ  打継埋め込み部材
１ｆ  上面板の上面
１Ｕ  上面板
２Ｄ  底面板
１０  基部
２０  本体部
２１ｂ  斜面部
２３  先端部
２４ｕ  水返し
２５  スリット支持板
２５ｆ  スリット支持板の上面
３０  結合部
４０  目地棒
４０ａ  目地棒の上面
４１  外型枠
４２  水平スリット
４３  内型枠
５３  水平打継部
【図１】
0005057940.tif 000002
【図２】
0005057940.tif 000003
【図３】
0005057940.tif 000004
【図４】
0005057940.tif 000005
【図５】
0005057940.tif 000006
【図６】
0005057940.tif 000007
【図７】
0005057940.tif 000008